(57)【特許請求の範囲】
【請求項１】
患者用スマート聴力診療器、専門家用スマート聴力診療器及びクラウドデータセンターを備えた無線移動通信プラットフォームに基づくインタラクティブ聴力診療システムであって、
１台又は複数台の前記専門家用スマート聴力診療器が前記無線移動通信プラットフォームを介して前記クラウドデータセンターに接続されるように制御され、前記クラウドデータセンターが前記無線移動通信プラットフォームを介して１名又は複数名の患者が使用している１台又は複数台の前記患者用スマート聴力診療器に接続され、
前記患者用スマート聴力診療器は、音声再生器モジュール、第１聴力検査診断モジュール、補聴器フィッティング処方モジュール、第１耳鳴検査診断モジュール、耳鳴治療処方モジュール、第１無線通信モジュール及び第１操作システムモジュールを内部に含み、
前記第１無線通信モジュールは、前記補聴器フィッティング処方モジュール、前記耳鳴治療処方モジュール及び前記第１操作システムモジュールと通信接続され、前記第１操作システムモジュールは、前記第１聴力検査診断モジュール及び前記第１耳鳴検査診断モジュールと通信接続され、前記第１聴力検査診断モジュール及び前記第１耳鳴検査診断モジュールは、前記音声再生器モジュールと通信接続され、前記第１無線通信モジュールは、前記クラウドデータセンターとさらに通信接続され、
前記専門家用スマート聴力診療器は、複合音の信号を発生させる複合音発生器モジュール、第２聴力検査診断モジュール、補聴器フィッティングモジュール、第２耳鳴検査診断モジュール、耳鳴治療プログラミングモジュール、第２無線通信モジュール及び第２操作システムモジュールを内部に含み、前記第２無線通信モジュールと前記第２操作システムモジュールとは通信接続され、
前記第２操作システムモジュールは、前記複合音発生器モジュール、前記第２聴力検査診断モジュール、前記補聴器フィッティングモジュール、前記第２耳鳴検査診断モジュール及び前記耳鳴治療プログラミングモジュールと通信接続され、前記第２無線通信モジュールは、前記クラウドデータセンターとさらに通信接続され、
前記クラウドデータセンターは、データ処理モジュール、データ記憶モジュール、専門家ライブラリモジュール、交流センターモジュール及び無線制御モジュールを内部に含み、
前記無線制御モジュールは、前記データ処理モジュール、前記データ記憶モジュール、前記専門家ライブラリモジュール及び前記交流センターモジュールと通信接続され、
１台又は複数台の前記専門家用スマート聴力診療器、及び、１台又は複数台の前記患者用スマート聴力診療器は、それぞれ単独で、前記クラウドデータセンターと接続し、１台又は複数台の前記専門家用スマート聴力診療器は、前記無線制御モジュールを介して聴力診療をインタラクティブにリモート制御可能であり、
前記クラウドデータセンターは、前記クラウドデータセンターの運営及び技術サポートを担当する管理員によって、前記データ記憶モジュール内のデータを前記専門家ライブラリモジュール内にコピーすることを含むデータ分類保存、顧客データの蓄積、並びに、前記専門家ライブラリモジュールの拡張及び公衆への提供が可能であり、
前記データ処理モジュールは、リアルタイムなデータの交換、変換及び送信に用いられ、
前記データ記憶モジュールは、患者と専門家とのデータベースを含み、カテゴリ別にデータを記憶し、
前記専門家ライブラリモジュールは、複数の病歴毎の聴覚補償処方と、複数の耳鳴モーダルデータと、前記複数の耳鳴モーダルデータのそれぞれに対応する耳鳴音マスキング及び音順応治療処方とを、収集してカテゴリ別に保存し、
前記交流センターモジュールは、専門家と患者との間での技術、データ及び経験の多方向の交流のために提供され、且つ、聴力損失又は耳鳴を罹患する複数名の患者がグループを設立して互いに交流し助け合うことで、聴力診療効果を高めるために提供され、
１台又は複数台の前記患者用スマート聴力診療器は、１名又は複数名の患者が当該１台又は複数台の患者用スマート聴力診療器を用いて自己の聴力診断及び治療を行うことにより得られた診療結果データを、前記無線移動通信プラットフォームを介して前記クラウドデータセンターに送信し、前記クラウドデータセンターは、専門家がリモート分析又はリモート診断治療を行うことができるように、前記診療結果データを前記無線移動通信プラットフォームを介して前記専門家用スマート聴力診療器に送信することを特徴とする無線移動通信プラットフォームに基づくインタラクティブ聴力診療システム。
【請求項２】
前記無線移動通信プラットフォームは、ＧＰＲＳ標準のアンドロイド（登録商標）システムであることを特徴とする請求項１に記載の無線移動通信プラットフォームに基づくインタラクティブ聴力診療システム。
【請求項３】
前記無線制御モジュールは、相互通信の映像及びオーディオ制御システムを含むことを特徴とする請求項１に記載の無線移動通信プラットフォームに基づくインタラクティブ聴力診療システム。
【請求項４】
前記患者用スマート聴力診療器は、物理的な表示窓を含むモバイルサービスプラットフォームであり、
前記表示窓のメインインターフェイスは、耳鳴治療ユニット、治療プログラムユニット、治療記録ユニット及び耳鳴レポートユニットを含み、
前記耳鳴治療ユニットは、左右の耳それぞれの音量及び両耳全体の音量に対して設定を行い、これらをヘッドホンに出力して再生するものであり、
前記治療プログラムユニットは、治療の時間又は期間の設定、複数の耳鳴治療プログラムの中から１又は複数の耳鳴治療プログラムを選択する方式の設定、前記複数の耳鳴治療プログラムのうちの２つ以上を混合する方式の設定、治療オーディオ・トーンの再生順番の設定、及び、前記治療オーディオ・トーンの時間の設定をするものであり、左右の耳それぞれと両耳とに単独に前記設定を行い、
前記治療記録ユニットは、採用された治療プログラム、治療日、時間及び時間の長さを記録し、又は治療の記録を削除するものであり、
前記耳鳴レポートユニットは、前記第１耳鳴検査診断モジュールで生成された検査レポートと、前記第１操作システムモジュールで生成された治療レポートとを変換し、医者の指示を表示すると共に、前記患者用スマート聴力診療器上に表示される現在のレポートを取り出し、前記現在のレポートをメモリカードのルートディレクトリに保存し且つ印刷のために準備するものであることを特徴とする請求項１に記載の無線移動通信プラットフォームに基づくインタラクティブ聴力診療システム。
【請求項５】
前記患者用スマート聴力診療器は、ヘッドホン、プリンタ、補聴器及び耳鳴治療器の中の少なくとも１つと外部接続されていることを特徴とする請求項１に記載の無線移動通信プラットフォームに基づくインタラクティブ聴力診療システム。
【請求項６】
前記ヘッドホンは、全周波数ヘッドホンであり、その周波数帯域は、０〜２０ＫＨｚであることを特徴とする請求項５に記載の無線移動通信プラットフォームに基づくインタラクティブ聴力診療システム。
【請求項７】
前記専門家用スマート聴力診療器は、ディスプレイ及び機器本体を含むモバイルサービスプラットフォーム機器であり、
前記ディスプレイのメインインターフェイスは、検査フィッティングモジュール及びシステム操作モジュールを含み、
前記検査フィッティングモジュールは、前記メインインターフェイスの右端に位置し、前記システム操作モジュールは、前記メインインターフェイスの左端に位置することを特徴とする請求項１に記載の無線移動通信プラットフォームに基づくインタラクティブ聴力診療システム。
【請求項８】
前記検査フィッティングモジュールは、聴力検査ユニット、耳鳴検査ユニット、耳鳴治療ユニット、耳道検査ユニット及び補聴器フィッティングユニットを含み、
前記聴力検査ユニットは、気導又は骨導を用いて聴力図を出力し、前記聴力図を保存するものであり、
前記耳鳴検査ユニットは、マルチチャンネル音声合成、トーンカーブフィッティング及び背景オーディオ・トーンデータベースの中の１つ又は複数を用いて、マルチモーダル耳鳴オーディオ・トーン信号に合成又は複合するものであり、
前記マルチチャンネル音声合成は、右耳と左耳との周波数及び周波数チャネルがそれぞれ設定された複数の周波数チャネルを含み、前記複数の周波数チャネルは、それぞれ、周波数帯域が０〜２０ＫＨｚであり、ステッピングが１Ｈｚ以上１０Ｈｚ未満であり、ラウドネスが０〜１２０デシベルであり、ステッピングが１デシベル以上１０デシベル未満であり、
前記トーンカーブフィッティングは、所定時間帯の波数及び波形設定を含み、前記背景オーディオ・トーンデータベースは、前記クラウドデータセンターからダウンロードされた資料を記憶するものであり、
前記耳鳴検査ユニットは、前記背景オーディオ・トーンデータベースから前記資料を取り出した後、周波数及びラウドネスの調整、耳鳴音を構成する構成成分の除去又は追加を含むパラメータ調整を行い、他人の参考のために、前記クラウドデータセンターに当該調整したオーディオ・トーン資料をアップロードし、患者同士、患者と専門家との間のインタラクティブを形成させ、
前記耳鳴治療ユニットは、患者診断症例を生成し、患者にマスキング療法を行うものであり、
前記耳道検査ユニットは、耳道デジタル映像を用いて耳道内及び鼓膜の外部状況を検査するものであり、
前記補聴器フィッティングユニットは、患者の聴力検査に従って、患者のフィッティング情報を対応するようにエクスポートし、その後、患者に相応しい補聴器製品を選択し、耳鳴診断データに基づいて補聴器又は耳鳴治療器に対して正確な位置調整又はプログラミングのデバッギングを行うことを特徴とする請求項７に記載の無線移動通信プラットフォームに基づくインタラクティブ聴力診療システム。
【請求項９】
前記システム操作モジュールは、追加ユニット、ファイルユニット、検査レポートユニット、治療レポートユニット、クライアントユニット、削除ユニット及びログアウトユニットを含み、
前記追加ユニットは、患者のファイル情報を追加し、耳鳴の程度を記録するために用いられ、
前記ファイルユニットは、患者のファイル情報を確認又は変更するものであり、
前記検査レポートユニットは、検査レポートを用いてリクエストに応じて、複数種類の検査レポートテンプレートを生成するものであり、
前記治療レポートユニットは、検査レポートに基づいて、適切な治療レポートを生成するものであり、
前記削除ユニットは、複数種類のデータ情報を削除するものであり、
前記ログアウトユニットは、保存後ログアウトするためのものであることを特徴とする請求項７に記載の無線移動通信プラットフォームに基づくインタラクティブ聴力診療システム。
【発明の詳細な説明】
【技術分野】
【０００１】
本発明は、聴力診療システムの分野に関し、特に無線移動通信プラットフォームに基づくインタラクティブ聴力診療システムに関する。
【背景技術】
【０００２】
米国聴力学会によって定義されている耳鳴又は頭鳴は、非外部音声による聴覚感知（即ち、外部からの音声がない場合に耳内（片耳又は両耳）又は脳内に音声を感じること）を意味する医学用語である。耳鳴又は頭鳴は、ザーザー音、ゴーゴー音、ボーンボーン音、キーンキーン又はトトトトという音等の表現形式があり、断続性、連続性、シングルトーン及びマルチトーンを有し、強度は一定であるか又は変化する。
【発明の概要】
【発明が解決しようとする課題】
【０００３】
デジタル補聴器及びデジタル耳鳴治療器は、専門サービスセンターで専門技術者が患者に個別の聴力検査や耳鳴診断を行ってからフィッティングプログラミング及びデバッギングを行わなければ、装用することができない。このような従来の方法は、以下の欠点又は弱点がある。
【０００４】
１、通常、２セット以上の高価な検査設備・機器及び２名の技術者が必要である。
２、患者は、診断及び治療のために、病院又は専門サービスセンターに行く必要がある。
３、患者の聴力及び耳鳴の変化に従って迅速に調節することは困難である。
４、技術的サービスの効率が低く、１回に１名の患者しか対応することができない。
５、サービス費用が高い。
６、偏僻な地域までの拡大が困難である。
７、現代のネットワーク技術の応用に適していない。
【課題を解決するための手段】
【０００５】
上記の技術的問題を解決するために、本発明は、無線移動通信プラットフォームに基づくインタラクティブ聴力診療システムを提供する。本発明に係る聴力診療システムは、１名又は複数名の専門家が１名又は複数名の患者にリモート聴力診断及び治療を行ってもよく、１名又は複数名の患者が自己の聴力診断及び治療を行い、その後、診療結果データをクラウドデータセンターに送信して分析などのために専門家にリモート提供し、又は、専門家に聴力診断・治療するようにリモート要求してもよい。これによって、時間が大幅に節約され、外出しなくても専門家の診断及び治療を受けることが実現され、特に、偏僻地域の患者が診断及び治療を受けるのに役に立ち、偏僻地域での応用に適している。
【０００６】
上記の技術的問題を解決すべく、技術的解決手段として、本発明は、患者用スマート聴力診療器、専門家用スマート聴力診療器及びクラウドデータセンターを備えた無線移動通信プラットフォームに基づくインタラクティブ聴力診療システムを提供する。１台又は複数台の前記専門家用スマート聴力診療器が前記無線移動通信プラットフォームを介してクラウドデータセンターに接続されるように制御され、前記クラウドデータセンターが前記無線移動通信プラットフォームを介して１名又は複数名の患者が使用している１台又は複数台の前記患者用スマート聴力診療器に接続されている。前記患者用スマート聴力診療器は、音声再生器モジュール、第１聴力検査診断モジュール、補聴器フィッティング処方モジュール、第１耳鳴検査診断モジュール、耳鳴治療処方モジュール、第１無線通信モジュール及び第１操作システムモジュールを内部に含む。前記第１無線通信モジュールは、前記補聴器フィッティング処方モジュール、前記耳鳴治療処方モジュール及び前記第１操作システムモジュールと通信接続され、前記第１操作システムモジュールは、前記第１聴力検査診断モジュール及び前記第１耳鳴検査診断モジュールと通信接続され、前記第１聴力検査診断モジュール及び前記第１耳鳴検査診断モジュールは、前記音声再生器モジュールと通信接続されている。ここで、前記第１無線通信モジュールは、前記クラウドデータセンターとさらに通信接続されている。前記専門家用スマート聴力診療器は、複合音の信号を発生させる複合音発生器モジュール、第２聴力検査診断モジュール、補聴器フィッティングモジュール、第２耳鳴検査診断モジュール、耳鳴治療プログラミングモジュール、第２無線通信モジュール及び第２操作システムモジュールを内部に含む。前記第２無線通信モジュールと前記第２操作システムモジュールとは通信接続され、前記第２操作システムモジュールは、前記複合音発生器モジュール、前記第２聴力検査診断モジュール、前記補聴器フィッティングモジュール、前記第２耳鳴検査診断モジュール及び前記耳鳴治療プログラミングモジュールと通信接続されている。ここで、前記第２無線通信モジュールは、前記クラウドデータセンターとさらに通信接続されている。前記クラウドデータセンターは、データ処理モジュール、データ記憶モジュール、専門家ライブラリモジュール、交流センターモジュール及び無線制御モジュールを内部に含む。前記無線制御モジュールは、前記データ処理モジュール、前記データ記憶モジュール、前記専門家ライブラリモジュール及び前記交流センターモジュールと通信接続されている。１台又は複数台の前記専門家用スマート聴力診療器、及び、１台又は複数台の前記患者用スマート聴力診療器は、それぞれ単独で、前記クラウドデータセンターと接続し、１台又は複数台の前記専門家用スマート聴力診療器は、前記無線制御モジュールを介して聴力診療をインタラクティブにリモート制御可能である。前記クラウドデータセンターは、前記クラウドデータセンターの運営及び技術サポートを担当する管理員によって、前記データ記憶モジュール内のデータを前記専門家ライブラリモジュール内にコピーすることを含むデータ分類保存、顧客データの蓄積、並びに、前記専門家ライブラリモジュールの拡張及び公衆への提供が可能である。前記データ処理モジュールは、リアルタイムなデータの交換、変換及び送信に用いられる。前記データ記憶モジュールは、患者と専門家とのデータベースを含み、カテゴリ別にデータを記憶する。前記専門家ライブラリモジュールは、複数の病歴毎の聴覚補償処方と、複数の耳鳴モーダルデータと、前記複数の耳鳴モーダルデータのそれぞれに対応する耳鳴音マスキング及び音順応治療処方とを、収集してカテゴリ別に保存する。前記交流センターモジュールは、専門家と患者との間での技術、データ及び経験の多方向の交流のために提供され、且つ、聴力損失又は耳鳴を罹患する複数名の患者がグループを設立して互いに交流し助け合うことで、聴力診療効果を高めるために提供される。１台又は複数台の前記患者用スマート聴力診療器は、１名又は複数名の患者が当該１台又は複数台の患者用スマート聴力診療器を用いて自己の聴力診断及び治療を行うことにより得られた診療結果データを、前記無線移動通信プラットフォームを介して前記クラウドデータセンターに送信し、前記クラウドデータセンターは、専門家がリモート分析又はリモート診断治療を行うことができるように、前記診療結果データを前記無線移動通信プラットフォームを介して前記専門家用スマート聴力診療器に送信する。
【０００７】
さらに、本発明において、１台又は複数台の前記患者用スマート聴力診療器は、１名又は複数名の患者が当該１台又は複数台の患者用スマート聴力診療器を用いて自己の聴力診断及び治療を行うことにより得られた診療結果データを、前記無線移動通信プラットフォームを介して前記クラウドデータセンターに送信する。前記クラウドデータセンターは、専門家がリモート分析又はリモート診断治療を行うことができるように、前記診療結果データを前記無線移動通信プラットフォームを介して前記専門家用スマート聴力診療器に送信する。
【０００８】
好ましくは、前記無線移動通信プラットフォームは、ＧＰＲＳ標準のアンドロイド（登録商標）システムである。
【０００９】
好ましくは、前記無線制御モジュールは、相互通信の映像及びオーディオ制御システムを含む。
【００１０】
好ましくは、前記患者用スマート聴力診療器は、物理的な表示窓を含むモバイルサービスプラットフォームであり、前記表示窓のメインインターフェイスは、耳鳴治療ユニット、治療プログラムユニット、治療記録ユニット及び耳鳴レポートユニットを含む。前記耳鳴治療ユニットは、左右の耳それぞれの音量及び両耳全体の音量に対して設定を行い、これらをヘッドホンに出力して再生するものである。前記治療プログラムユニットは、治療の時間又は期間の設定、複数の耳鳴治療プログラムの中から１又は複数の耳鳴治療プログラムを選択する方式の設定、前記複数の耳鳴治療プログラムのうちの２つ以上を混合する方式の設定、治療オーディオ・トーンの再生順番の設定、及び、前記治療オーディオ・トーンの時間の設定をするものであり、左右の耳それぞれと両耳とに単独に前記設定を行う。前記治療記録ユニットは、採用された治療プログラム、治療日、時間及び時間の長さを記録し、又は治療の記録を削除するものである。前記耳鳴レポートユニットは、前記第１耳鳴検査診断モジュールで生成された検査レポートと、前記第１操作システムモジュールで生成された治療レポートとを変換し、医者の指示を表示すると共に、前記患者用スマート聴力診療器上に表示される現在のレポートを取り出し、前記現在のレポートをメモリカードのルートディレクトリに保存し且つ印刷のために準備する。
【００１１】
好ましくは、前記患者用スマート聴力診療器は、ヘッドホン、プリンタ、補聴器及び耳鳴治療器の中の少なくとも１つと外部接続されている。
【００１２】
好ましくは、前記ヘッドホンは、全周波数ヘッドホンであり、その周波数帯域は、０〜２０ＫＨｚである。
【００１３】
好ましくは、前記専門家用スマート聴力診療器は、ディスプレイ及び機器本体を含むモバイルサービスプラットフォーム機器である。前記ディスプレイのメインインターフェイスは、検査フィッティングモジュール及びシステム操作モジュールを含み、前記検査フィッティングモジュールは、前記メインインターフェイスの右端に位置し、前記システム操作モジュールは、前記メインインターフェイスの左端に位置する。
【００１４】
好ましくは、前記検査フィッティングモジュールは、聴力検査ユニット、耳鳴検査ユニット、耳鳴治療ユニット、耳道検査ユニット及び補聴器フィッティングユニットを含み、前記聴力検査ユニットは、気導又は骨導を用いて聴力図を出力し、聴力図を保存するものである。前記耳鳴検査ユニットは、マルチチャンネル音声合成、トーンカーブフィッティング及び背景オーディオ・トーンデータベースの中の１つ又は複数を用いて、マルチモーダル耳鳴オーディオ・トーン信号に合成又は複合するものである。マルチチャンネル音声合成は、複数（例えば８個）の周波数チャネルを含む。各周波数チャネルは、右耳と左耳との周波数及び周波数チャネルが設定され、周波数帯域が０〜２０ＫＨｚであり、ステッピングが１Ｈｚ以上で１０Ｈｚ未満であり、ラウドネスが０〜１２０デシベルであり、ステッピングが１デシベル以上１０デシベル未満である。前記トーンカーブフィッティングは、所定時間帯の波数及び波形設定を含む。前記背景オーディオ・トーンデータベースは、クラウドデータセンターからダウンロードされた資料を記憶するものであり、前記耳鳴検査ユニットは、前記背景オーディオ・トーンデータベースから前記資料を取り出した後、周波数及びラウドネスの調整、耳鳴音を構成する構成成分の除去又は追加等のパラメータ調整を行い、他人の参考のために、前記クラウドデータセンターに当該調整したオーディオ・トーン資料をアップロードし、患者同士、患者と専門家との間のインタラクティブを形成させる。前記耳鳴治療ユニットは、患者診断症例を生成し、患者にマスキング療法を行うものである。前記耳道検査ユニットは、耳道デジタル映像を用いて耳道内及び鼓膜の外部状況を検査するものである。前記補聴器フィッティングユニットは、患者の聴力検査に従って、患者のフィッティング情報を対応するようにエクスポートし、その後、患者に相応しい補聴器製品を選択し、耳鳴診断データに基づいて補聴器又は耳鳴治療器に対して正確な位置調整又はプログラミングのデバッギングを行う。
【００１５】
好ましくは、前記システム操作モジュールは、追加ユニット、ファイルユニット、検査レポートユニット、治療レポートユニット、クライアントユニット、削除ユニット及びログアウトユニットを含む。前記追加ユニットは、患者のファイル情報を追加し、耳鳴の程度を記録するために用いられる。前記ファイルユニットは、患者のファイル情報を確認又は変更するものである。前記検査レポートユニットは、検査レポートを用いてリクエストに応じて、複数種類の検査レポートテンプレートを生成するものである。前記治療レポートユニットは、検査レポートに基づいて、適切な治療レポートを生成するものである。前記削除ユニットは、複数種類のデータ情報を削除するものである。前記ログアウトユニットは、保存後ログアウトするためのものである。
【発明の効果】
【００１６】
本発明に係る無線移動通信プラットフォームに基づくインタラクティブ聴力診療システムによれば、１名又は複数名の専門家が１名又は複数名の患者にリモート聴力診断及び治療を行ってもよく、１名又は複数名の患者が自己の聴力診断及び治療を行い、その後、診療結果データをクラウドデータセンターに送信して分析などのために専門家にリモート提供し、又は、専門家に聴力診断・治療するようにリモート要求してもよい。耳鳴適応症の診療有効率は８０％前後であり、時間が大幅に節約され、外出しなくても専門家の診断及び治療を受けることが実現され、特に、偏僻地域の患者が診断及び治療を受けるのに役に立ち、偏僻地域での普及及び応用に適している。
【図面の簡単な説明】
【００１７】
本発明の技術的解決手段をよりわかりやすく説明するために、以下、実施形態の説明に必要な図面について簡単に説明する。下記の図面は、本発明の一部の実施形態を示すものにすぎず、当業者が創造的な業務を行わない前提の下でこれらの図面に基づいて他の図面を得ることができる。
【００１８】
【図１】本発明に係る無線移動通信プラットフォームに基づくインタラクティブ聴力診療システムの１つの好ましい実施形態の構成模式図である。
【図２】図１における患者用スマート聴力診療器内部の構成模式図である。
【図３】図１における専門家用スマート聴力診療器内部の構成模式図である。
【図４】図１におけるクラウドデータセンター内部の構成模式図である。
【図５】図１における患者用スマート聴力診療器のメインインターフェイスの概略図である。
【図６】図１における専門家用スマート聴力診療器のメインインターフェイスの概略図である。
【発明を実施するための形態】
【００１９】
以下、本発明の技術的解決手段について、明白且つ完全に説明する。以下に説明する実施形態は、本発明の実施形態の１つにすぎず、すべての実施形態ではない。本発明に係る実施形態に基づいて当業者が創造的な業務を行わない前提の下で得たすべての実施形態は、本発明の保護範囲内に属する。
【００２０】
本発明の実施形態は、図１に示すように、患者用スマート聴力診療器、専門家用スマート聴力診療器及びクラウドデータセンターを備えた無線移動通信プラットフォームに基づくインタラクティブ聴力診療システムである。１名又は複数名の専門家が、１台又は複数台の専門家用スマート聴力診療器を、無線移動通信プラットフォームを介してクラウドデータセンターに接続するように制御する。クラウドデータセンターは、無線移動通信プラットフォームを介して１名又は複数名の患者が使用している１台又は複数台の患者用スマート聴力診療器に接続されている。
【００２１】
上記内容において、無線移動通信プラットフォームは、ＧＰＲＳ標準のアンドロイドシステムである。１名の専門家が複数名の患者と接続し、無線移動通信プラットフォームを頼りに、クラウドデータセンターを介して、一端の専門家用聴力診療器と他端の患者用聴力診療器とを接続し、リモート制御による聴力診療を実現する。
【００２２】
さらに、図２に示すように、患者用スマート聴力診療器は、音声再生器モジュール、第１聴力検査診断モジュール、補聴器フィッティング処方モジュール、第１耳鳴検査診断モジュール、耳鳴治療処方モジュール、第１無線通信モジュール及び第１操作システムモジュールを内部に含む。第１無線通信モジュールは、補聴器フィッティング処方モジュール、耳鳴治療処方モジュール及び前記第１操作システムモジュールと通信接続されている。第１操作システムモジュールは、第１聴力検査診断モジュール及び第１耳鳴検査診断モジュールと通信接続されている。第１聴力検査診断モジュール及び第１耳鳴検査診断モジュールは、音声再生器モジュールと通信接続されている。ここで、第１無線通信モジュールは、クラウドデータセンターとさらに通信接続されている。
【００２３】
患者用スマート聴力診療器は、ヘッドホン、プリンタ、補聴器及び耳鳴治療器の中の１つ又は複数と外部接続されている。ここで、ヘッドホンは、全周波数ヘッドホンであり、その周波数帯域は、０〜２０ＫＨｚである。
【００２４】
上記内容において、患者用スマート聴力診療器は、携帯式で、小型化且つインテリジェント化されたモバイルサービスプラットフォームであり、表示窓として、タッチスクリーンが採用されている。図５に示すように、表示窓のメインインターフェイスは、耳鳴治療ユニット、治療プログラムユニット、治療記録ユニット及び耳鳴レポートユニットを含む。
【００２５】
耳鳴治療ユニットは、左右の耳それぞれの音量及び両耳全体の音量に対して設定を行い、これらをヘッドホンに出力して再生するものである。
【００２６】
治療プログラムユニットは、治療の時間又は期間の設定、複数の耳鳴治療プログラムの中から１又は複数の耳鳴治療プログラムを選択する方式の設定、前記複数の耳鳴治療プログラムのうちの２つ以上を混合する方式の設定、治療オーディオ・トーンの再生順番の設定、及び、前記治療オーディオ・トーンの時間の設定をするものであり、左右の耳それぞれと両耳とに単独に前記設定を行う。
【００２７】
治療記録ユニットは、採用された治療プログラム、治療日、時間及び時間の長さを記録し、又は治療の記録を削除するものである。
【００２８】
耳鳴レポートユニットは、検査レポートと治療レポートとを変換し、医者の指示を表示すると共に、現在のレポートを取り出してメモリカードのルートディレクトリに保存し、印刷のために準備するものである。
【００２９】
ユーザが患者用スマート聴力診療器のメインインターフェイス内の耳鳴治療ユニットをクリックして入る。治療プログラムが定義されていない場合は、ユーザがリストの中からある治療プログラムを選択する必要がある。治療プログラムが定義されている場合は、ユーザがリストの中から治療プログラムを選択する必要はない。もしユーザが１分間画面をタッチしなければ、システムは自動的に節電モードに切り替わり、画面が暗くなる。この場合、再度タッチするだけで画面がアクティブ状態になる。
【００３０】
図３に示すように、専門家用スマート聴力診療器は、複合音発生器モジュール、第２聴力検査診断モジュール、補聴器フィッティングモジュール、第２耳鳴検査診断モジュール、耳鳴治療プログラミングモジュール、第２無線通信モジュール及び第２操作システムモジュールを内部に含む。第２無線通信モジュールと第２操作システムモジュールとは通信接続されている。第２操作システムモジュールは、複合音発生器モジュール、第２聴力検査診断モジュール、補聴器フィッティングモジュール、第２耳鳴検査診断モジュール及び耳鳴治療プログラミングモジュールと通信接続されている。ここで、第２無線通信モジュールは、クラウドデータセンターとさらに通信接続されている。
【００３１】
図６に示すように、専門家用スマート聴力診療器は、ディスプレイ及び機器本体を含むモバイルサービスプラットフォーム機器である。ディスプレイのメインインターフェイスは、検査フィッティングモジュール及びシステム操作モジュールを含む。検査フィッティングモジュールは、メインインターフェイスの右端に位置し、システム操作モジュールは、メインインターフェイスの左端に位置する。また、検査フィッティングモジュールとシステム操作モジュールとのインタフェースデザインとして、切り替えたり上下位置で設定したりしてもよい。
【００３２】
ここで、検査フィッティングモジュールは、聴力検査ユニット、耳鳴検査ユニット、耳鳴治療ユニット、耳道検査ユニット及び補聴器フィッティングユニットを含む。聴力検査ユニットは、気導又は骨導を用いて聴力図を出力し、聴力図を保存するものである。
【００３３】
耳鳴検査ユニットは、マルチチャンネル音声合成、トーンカーブフィッティング及び背景オーディオ・トーンデータベースの中の１つ又は複数を用いて、マルチモーダル耳鳴オーディオ・トーン信号に合成又は複合する。マルチチャンネル音声合成は、複数（例えば８個）の周波数チャネルを含む。各周波数チャネルは、右耳と左耳との周波数及び周波数チャネルが設定されており、周波数帯域が０〜２０ＫＨｚであり、ステッピングが１Ｈｚ以上１０Ｈｚ未満であり、ラウドネスが０〜１２０デシベルであり、ステッピングが１デシベル以上１０デシベル未満である。トーンカーブフィッティングは、所定時間帯の波数及び波形設定を含む。背景オーディオ・トーンデータベースは、クラウドデータセンターからダウンロードされた資料を記憶するものである。耳鳴検査ユニットは、背景オーディオ・トーンデータベースから資料を取り出した後、周波数及びラウドネスの調整、耳鳴音を構成する構成成分の除去又は追加等のパラメータ調整を行う。そして、耳鳴検査ユニットは、他人の参考のために、クラウドデータセンターに調整したオーディオ・トーン資料をアップロードし、患者同士、患者と専門家との間のインタラクティブを形成させる。
【００３４】
耳鳴治療ユニットは、患者診断症例を生成し、患者にマスキング療法を行うものである。耳道検査ユニットは、耳道デジタル映像を用いて耳道内及び鼓膜の外部状況を検査するものである。
【００３５】
補聴器フィッティングユニットは、患者の聴力検査に従って、患者のフィッティング情報を対応するようにエクスポートし、その後、患者に相応しい補聴器製品を選択し、耳鳴診断データに基づいて補聴器又は耳鳴治療器に対して正確な位置調整又はプログラミングのデバッギングを行う。
【００３６】
ここで、システム操作モジュールは、追加ユニット、ファイルユニット、検査レポートユニット、治療レポートユニット、クライアントユニット、削除ユニット及びログアウトユニットを含む。追加ユニットは、患者のファイル情報を追加し、耳鳴の程度を記録するために用いられる。ファイルユニットは、患者のファイル情報を確認又は変更するものである。検査レポートユニットは、検査レポートを用いてリクエストに応じて、複数種類の検査レポートテンプレートを生成するものである。治療レポートユニットは、検査レポートに基づいて、適切な治療レポートを生成するものである。削除ユニットは、複数種類のデータ情報を削除するものである。ログアウトユニットは、保存後ログアウトするためのものである。
【００３７】
図４に示すように、クラウドデータセンターは、データ処理モジュール、データ記憶モジュール、専門家ライブラリモジュール、交流センターモジュール及び無線制御モジュールを内部に含む。無線制御モジュールは、データ処理モジュール、データ記憶モジュール、専門家ライブラリモジュール及び交流センターモジュールと通信接続されている。ここで、無線制御モジュールは、相互通信の映像及びオーディオ制御システムを含む。
【００３８】
複数名の専門家及び複数名の患者は、クラウドデータセンターと単独で接続し、無線制御モジュールを介して聴力診療をインタラクティブにリモート制御することができる。クラウドデータセンターの管理員は、クラウドデータセンターの運営、技術サポート、データ記憶モジュール内の典型的なデータを専門家ライブラリモジュール内にコピーすることを含むデータ分類保存を担当し、典型的な顧客データを蓄積し、専門家ライブラリモジュールを拡張し、公衆用に提供する。データ処理モジュールは、リアルタイムデータを交換、変換及び送信する。データ記憶モジュールは、患者と専門家とのデータベースであり、カテゴリ別にデータを保存する。専門家ライブラリモジュールは、記憶された典型的な病歴の聴覚補償処方、様々な耳鳴モーダルデータ及び対応する耳鳴音マスキング並びに音順応治療処方を、収集し、カテゴリ別に保存する。交流センターモジュールは、技術、データ及び経験を、専門家と患者との間で多方向の交流又は友達作りやチャットのために提供する。特に、類似する聴力損失又は耳鳴を罹患する患者同士の交流及び助け合いのために、患者自身がグループを設立することで、聴力診療効果が高まる。
【００３９】
さらに、本発明に係る無線移動通信プラットフォームに基づくインタラクティブ聴力診療システムによれば、患者は、自己感知によって複数種類の治療プログラムを管理若しくは調整し、又は、専門家のリモート指導の下で、これらの治療方法の管理若しくは調節を完成することができる。１名又は複数名の患者は、１台又は複数台の患者用スマート聴力診療器を用いて自己の聴力診断及び治療を行い、診療結果データを得る。当該診療結果データは、無線移動通信プラットフォームを介してクラウドデータセンターに送信され、専門家がリモート分析又はリモート診断治療を行うために、クラウドデータセンターにより、無線移動通信プラットフォームを介して専門家用スマート聴力診療器に送信される。
【００４０】
自己感知のデバッギング、又は、聴力診断のリモート制御及び補聴器のフィッティング・デバッギングは、以下のとおりである。
患者が、聴力検査診断モジュールに内蔵され較正されたオージオメータを起動し、音声再生器モジュール及びヘッドホンを介して聞いたオーディオ信号を直接感知することができる。操作システムモジュールが、異なる周波数のオーディオ信号における聴力閾値を記録し、聴力の損傷を表す聴力図を自動的に生成し、聴力図をクラウドデータセンターまで無線送信する。専門家が、聴力図をリモート受信した後、専門家用スマート聴力診療器において補聴器プログラミングのフィッティングを行い、次に、フィッティング結果又は処方を患者用スマート聴力診療器及び接続された補聴器に返送する。患者自身が聴力図と補聴器フィッティング処方モジュールとを接続し、装用された補聴器に対するフィッティング・デバッギングが自動的に行われるようにしてもよい。聴力診断は、専門家と患者とが無線接続を介して行ってもよい。専門家が自分の専門家用スマート聴力診療器における聴力検査診断モジュールを制御することによって、オーディオ信号を患者用スマート聴力診療器及びヘッドホンに送信し、患者に音を感知させ、両者のインタラクティブで患者個別の聴力図を生成することができる。
【００４１】
自己感知のデバッギング又は耳鳴診断治療のリモート制御は、以下のとおりである。
患者が、耳鳴検査診断モジュールに内蔵され較正されたマルチモーダル耳鳴診断器を起動し、音声再生器モジュール及びヘッドホンを介して聞いたオーディオ・トーン信号を直接感知して、患者自身の耳鳴モーダルと類似又は一致することを確認し、また、音声再生器モジュール及びヘッドホンを介して聞いたオーディオ・トーン信号を直接感知することができる。操作システムモジュールが、選択された、患者自身の耳鳴状態に最も相応しい耳鳴モードを記録する。次に、耳鳴治療処方モジュールが、耳鳴音マスキング又は音順応治療処方を自動的に生成する。もう１つの方法として、患者が、クラウドデータセンター及び専門家に直接無線接続し、専門家が、専門家用スマート聴力診療器における耳鳴検査診断モジュールを制御し、選択された耳鳴モーダルを患者の耳にリモート伝送し、患者が感知して専門家にフィードバックする。このように、患者と専門家との間で複数回のインタラクティブを行えば、１つ又は複数の相応しい耳鳴モーダルを診断することができる。患者用スマート聴力診療器内に入力された耳鳴治療処方から、１つ又は複数の耳鳴音マスキング又は音順応治療処方が、自動的に生成され、患者が装用している耳鳴治療器に入力される。
【００４２】
聴力の損傷及び耳鳴の両方を有する患者に対して、上記の２つのステップを合わせ、耳鳴処方を補聴器に人力することができる。
【００４３】
聴力の損傷又は耳鳴の病状の変化のため、専門家又は患者は、個別の病状に従って、複数の治療期間の聴力治療処方又は耳鳴治療処方を設計することができる。これによって、患者自身が感知して選択し、複数の処方の混合及びデバッギングを行い、新しい治療処方を生成することができる。
【００４４】
本発明に係る無線移動通信プラットフォームに基づくインタラクティブ聴力診療システムは、１名又は複数名の専門家が１名又は複数名の患者にリモート聴力診断及び治療を行ってもよく、１名又は複数名の患者が自己の聴力診断及び治療を行い、その後、診療結果データをクラウドデータセンターに送信して分析などのために専門家にリモート提供し、又は、専門家に聴力診断・治療するようにリモート要求してもよい。無線移動通信プラットフォームを用いて各診療段階をシームレス接続することにより、全自動医療情報化管理が実現される。これにより、時間が大幅に節約され、外出しなくても専門家の診断及び治療を受けることが実現され、特に、偏僻地域の患者が診断及び治療を受けるのに役に立ち、偏僻地域での応用に適している。
【００４５】
上記の説明は、本発明の実施形態の説明にすぎず、本発明の保護範囲を限定するものではない。本発明の明細書の記載内容を利用して成された同様効果の構造変換若しくは同様効果のプロセス変換、又は、他の関連する技術分野に直接若しくは間接に使用することは、すべて本発明の特許保護範囲内に含まれる。
【図１】
0006329627.tif 000002
【図２】
0006329627.tif 000003
【図３】
0006329627.tif 000004
【図４】
0006329627.tif 000005
【図５】
0006329627.tif 000006
【図６】
0006329627.tif 000007